(57)【要約】【課題】  ゴミの臭いが外部に漏れることを低減することができる開閉可能な上面板を有するゴミ箱を提供する。【解決手段】  ゴミ箱１は、前面板２、後面板３、左右一対の左側面板４及び右側面板５を有する筒状の本体部６と、底面板７と、本体部６に開閉可能に取り付けられる上面板８とを備える。ゴミ袋Ｂは、ゴミ袋本体Ｂ１が、本体部６の中に収容され、袋孔Ｂ１ａは、前面板２の前フック部２ｄが挿入されて前フック部２ｄに引っ掛けられ、袋孔Ｂ１ｂは、上面板８の上フック部８ｇが挿入されて上フック部８ｇに引っ掛けられている。上面板８が閉じられると、上フック部８ｇが前フック部２ｄに近づき、ゴミ袋本体Ｂ１の上面開口が閉じられる。【選択図】  図８
2020019586.tif 000002
【特許請求の範囲】
【請求項１】
上面が開口された袋を内部に収容できる筒状の本体部と、
前記本体部の上面開口に被せられる上面板と、
前記上面板の少なくとも前端部を前後方向に移動させることで前記本体部の上面開口を閉塞または開放させる移動機構とを有するゴミ箱であって、
前記本体部の前方側の上端部に設けられ、前記袋の開口端縁の前端部を保持する第１保持部と、
前記上面板に設けられ、前記袋の開口端縁の後端部を保持し、前記上面板の前端部が後方向に移動された場合に前記第１保持部より後方に位置するとともに、前記上面板の前端部を前記後方向に移動された位置から前方向に向けて移動させた場合に、前後方向において前記第１保持部に近づく第２保持部と、を備えることを特徴とするゴミ箱。
【請求項２】
請求項１に記載のゴミ箱において、
前記第１保持部は、前記袋の前記前端部が引っ掛けられる上方に突出した第１フック部を備え、
前記第２保持部は、前記上面板の前端部が前方向に移動された場合に下方に突出し、前記袋の前記後端部が引っ掛けられる第２フック部を備えることを特徴とするゴミ箱。
【請求項３】
請求項２に記載のゴミ箱において、
前記本体部及び前記上面板は、段ボール板紙により構成され、
前記第１保持部は、
前記本体部の前方側に形成され、左右方向に延びる第１前折目線と、
前記本体部の前方側の前記第１前折目線の下方に形成され、左右方向に延びる第２前折目線と、
前記本体部の前方側の前記第２前折目線の下方に形成され、左右方向に延びる第３前折目線と、
前記第３前折目線に沿って折り曲げ可能にするために、前記本体部の前方側の上端縁から下方向に延びて前記第３前折目線の両端に接続される左右一対の第１切れ目線と、
前記本体部の前方側の前記第１前折目線と前記第２前折目線との間に、第１始点と第１終点とが形成されて、前記第１フック部を形成するために、前記第１始点及び前記第１終点の下方で前記第２前折目線と前記第３前折目線との間まで上下方向及び左右方向に延びて前記第１始点及び前記第１終点に接続される第１フック部用切れ目線と、を備え、
前記第１前折目線に沿って、前記本体部の前方側の前記第１前折目線より上側の第１前部分が内側に折り曲げられ、
前記第２前折目線に沿って、前記本体部の前方側の前記第１前折目線と前記第２前折目線との間の第２前部分が内側に折り曲げられ、
前記第３前折目線に沿って、前記本体部の前方側の前記第２前折目線と前記第３前折目線との間の第３前部分が内側に折り曲げられて、前記第１フック部が形成されていることを特徴とするゴミ箱。
【請求項４】
請求項３に記載のゴミ箱において、
前記第２保持部は、
前記上面板の前方に突出して設けられた突出部と、
前記突出部に形成され、左右方向に延びる第１上折目線と、
前記突出部の前記第１前折目線の後方に形成され、左右方向に延びる第２上折目線と、
前記突出部の前記第２上折目線の後方に形成され、左右方向に延びる第３上折目線と、
前記突出部の前記第１上折目線と前記第２上折目線との間に第２始点と第２終点とが形成され、前記第２フック部を形成するために、前記第２始点及び前記第２終点の後方で前記第２上折目線と前記第３上折目線との間まで前後方向及び左右方向に延びて前記第２始点及び前記第２終点に接続される第２フック部用切れ目線と、を備え、
前記第１上折目線に沿って、前記突出部の前記第１上折目線より前側の第１上部分が内側に折り曲げられ、
前記第２上折目線に沿って、前記突出部の前記第１上折目線と前記第２上折目線との間の第２上部分が内側に折り曲げられ、
前記第３上折目線に沿って、前記突出部の前記第２上折目線と前記第３上折目線との間の第３上部分が内側に折り曲げられて、前記第２フック部が形成されていることを特徴とするゴミ箱。
【請求項５】
請求項４に記載のゴミ箱において、
前記上面板の前端部が前方向に移動された場合に、前記第１フック部と前記第２フック部とが前後方向において重なることを特徴とするゴミ箱。
【請求項６】
請求項１〜５のいずれか１項に記載のゴミ箱において、
所定の位置で前記上面板の開放を規制する規制部を備えることを特徴とするゴミ箱。
【請求項７】
請求項１〜６のいずれか１項に記載のゴミ箱において、
前記本体部の底面の開口を塞ぐ底面板を備えることを特徴とするゴミ箱。
【請求項８】
請求項１〜７のいずれか１項に記載のゴミ箱において、
前記上面板は、上折目線を介して前記本体部に連設されていることを特徴とするゴミ箱。
【発明の詳細な説明】
【技術分野】
【０００１】
本発明は、ゴミが入れられるゴミ袋を収容するゴミ箱に関する。
【背景技術】
【０００２】
従来、帯状の湾曲部材、及び、湾曲部材の両端部に接続され該両端部を結ぶ線を介して線対称な帯状部材であって可撓変形可能な可変部材を有する袋開閉具と、袋開閉具を自立させるスタンドとを備える臭い漏れ防止生ごみ容器が知られている（下記特許文献１参照）。この臭い漏れ防止生ごみ容器によれば、袋開閉具に袋を取り付けた状態で可変部材を湾曲部材に沿うように変形させて袋の上面開口を閉じることができる。
【先行技術文献】
【特許文献】
【０００３】
【特許文献１】特開２０００−１６８９０２号公報
【発明の概要】
【発明が解決しようとする課題】
【０００４】
しかしながら、特許文献１に記載の臭い漏れ防止生ごみ容器は、袋の中にゴミを入れる場合には、可変部材を元の形状に変形させて袋の上面開口を開く必要があり、このとき可変部材が変形する際の反動で、袋の中のゴミが飛び出るおそれがあり、衛生上問題があった。
【０００５】
また、近年では、有底筒状のゴミ箱の中に収容したゴミ袋の中にゴミを入れ、さらに、ゴミ箱の上面開口を覆う開閉可能な上面板を備えるタイプが増加しているため、このような開閉タイプのゴミ箱においても、気密性を高め、ゴミの臭いが外部に漏れることを低減させることが求められていた。
【０００６】
本発明は、このような事情に鑑みてなされたものであり、ゴミの臭いが外部に漏れることを低減することができる開閉可能な上面板を有するゴミ箱を提供することを目的とする。
【課題を解決するための手段】
【０００７】
本発明のゴミ箱は、上面が開口された袋を内部に収容できる筒状の本体部と、前記本体部の上面開口に被せられる上面板と、前記上面板の少なくとも前端部を前後方向に移動させることで前記本体部の上面開口を閉塞または開放させる移動機構とを有するゴミ箱であって、前記本体部の前方側の上端部に設けられ、前記袋の開口端縁の前端部を保持する第１保持部と、前記上面板に設けられ、前記袋の開口端縁の後端部を保持し、前記上面板の前端部が後方向に移動された場合に前記第１保持部より後方に位置するとともに、前記上面板の前端部を前記後方向に移動された位置から前方向に向けて移動させた場合に、前後方向において前記第１保持部に近づく第２保持部と、を備えることを特徴とする。
【０００８】
本発明によれば、上面板の前端部が前方向に移動された場合に、第２保持部が前後方向において第１保持部に近づくことで、第２保持部で保持された袋の後端部が、前後方向において第１保持部で保持された袋の前端部に近づいて、袋の開口が閉じられる。これにより、開閉可能な上面板を有しながらも、上面板の前端部を前方向に移動させるだけで、袋に入れられたゴミの臭いが外部に漏れることを低減することができる。
【０００９】
また、前記第１保持部は、前記袋の前記前端部が引っ掛けられる上方に突出した第１フック部を備え、前記第２保持部は、前記上面板の前端部が前方向に移動された場合に下方に突出し、前記袋の前記後端部が引っ掛けられる第２フック部を備えることが好ましい。
【００１０】
この構成によれば、例えば、袋の前端部及び後端部に孔が形成されたものでは、該袋の孔に第１フック部及び第２フック部を挿入するだけで、容易に袋を保持することができる。
【００１１】
さらに、前記本体部及び前記上面板は、段ボール板紙により構成され、前記第１保持部は、前記本体部の前方側に形成され、左右方向に延びる第１前折目線と、前記本体部の前方側の前記第１前折目線の下方に形成され、左右方向に延びる第２前折目線と、前記本体部の前方側の前記第２前折目線の下方に形成され、左右方向に延びる第３前折目線と、前記第３前折目線に沿って折り曲げ可能にするために、前記本体部の前方側の上端縁から下方向に延びて前記第３前折目線の両端に接続される左右一対の第１切れ目線と、前記本体部の前方側の前記第１前折目線と前記第２前折目線との間に、第１始点と第１終点とが形成されて、前記第１フック部を形成するために、前記第１始点及び前記第１終点の下方で前記第２前折目線と前記第３前折目線との間まで上下方向及び左右方向に延びて前記第１始点及び前記第１終点に接続される第１フック部用切れ目線と、を備え、前記第１前折目線に沿って、前記本体部の前方側の前記第１前折目線より上側の第１前部分が内側に折り曲げられ、前記第２前折目線に沿って、前記本体部の前方側の前記第１前折目線と前記第２前折目線との間の第２前部分が内側に折り曲げられ、前記第３前折目線に沿って、前記本体部の前方側の前記第２前折目線と前記第３前折目線との間の第３前部分が内側に折り曲げられて、前記第１フック部が形成されていることが好ましい。
【００１２】
この構成によれば、第１〜第３前折目線に沿って、本体部の前方側の第１〜第３前部分が内側に折り曲げられるだけで、容易に第１フック部が形成される。さらに、本体部及び上面板が段ボール板紙製、すなわち、ゴミ箱が段ボール板紙製であるので、ゴミ箱自体がゴミによって汚れた場合には、ゴミ箱を容易に分解して廃棄することができる。また、小型のゴミ箱の場合には、ゴミをゴミ箱に入れたままゴミ箱自体を廃棄することができる。これにより、上面板を開放して、袋をゴミ箱から取り出す必要が無く、上面板を開放する場合のゴミの臭いが外部に漏れることを防止することができる。
【００１３】
また、前記第２保持部は、前記上面板の前方に突出して設けられた突出部と、前記突出部に形成され、左右方向に延びる第１上折目線と、前記突出部の前記第１前折目線の後方に形成され、左右方向に延びる第２上折目線と、前記突出部の前記第２上折目線の後方に形成され、左右方向に延びる第３上折目線と、前記突出部の前記第１上折目線と前記第２上折目線との間に第２始点と第２終点とが形成され、前記第２フック部を形成するために、前記第２始点及び前記第２終点の後方で前記第２上折目線と前記第３上折目線との間まで前後方向及び左右方向に延びて前記第２始点及び前記第２終点に接続される第２フック部用切れ目線と、を備え、前記第１上折目線に沿って、前記突出部の前記第１上折目線より前側の第１上部分が内側に折り曲げられ、前記第２上折目線に沿って、前記突出部の前記第１上折目線と前記第２上折目線との間の第２上部分が内側に折り曲げられ、前記第３上折目線に沿って、前記突出部の前記第２上折目線と前記第３上折目線との間の第３上部分が内側に折り曲げられて、前記第２フック部が形成されていることが好ましい。
【００１４】
この構成によれば、第１〜第３上折目線に沿って、上面板の第１〜第３上部分が内側に折り曲げられるだけで、容易に第２フック部が形成される。
【００１５】
また、前記上面板の前端部が前方向に移動された場合に、前記第１フック部と前記第２フック部とが前後方向において重なることが好ましい。
【００１６】
この構成によれば、上面板の前端部が前方向に移動された場合に、第１フック部と第２フック部とが前後方向において重なるので、重ならないものに比べて、袋の開口の遮蔽される範囲が大きくなり、より一層、袋に入れられたゴミの臭いが外部に漏れることを低減することができる
【００１７】
さらに、所定の位置で前記上面板の開放を規制する規制部を備えることが好ましい。
【００１８】
この構成によれば、上面板が開放し過ぎるのを防止することができる。これにより、上面板が開放し過ぎて、袋に入れられたゴミが外部に飛び出ることを防止することができる。
【００１９】
また、前記本体部の底面の開口を塞ぐ底面板を備えることが好ましい。
【００２０】
この構成によれば、本体部の底面の開口から、ゴミの臭いが外部に漏れることを防止することができる。
【００２１】
さらに、前記上面板は、上折目線を介して前記本体部に連設されていることが好ましい。
【００２２】
この構成によれば、上面板と本体部とが別個に設けられているものに比べて、部品点数を抑制することができ、さらに、ゴミ箱の組み立て性を向上することができる。
【図面の簡単な説明】
【００２３】
【図１】本発明のゴミ箱の一実施形態を示す斜視図。
【図２】ゴミ箱の本体部の展開状態の平面図。
【図３】ゴミ箱の上面板の展開状態の平面図。
【図４】ゴミ箱の本体部を示す斜視図。
【図５】ゴミ箱の前面板を折り曲げた状態の本体部とゴミ袋とを示す斜視図。
【図６】ゴミ箱の上面板を示す斜視図。
【図７】ＶＩＩ−ＶＩＩ線縦断面図。
【図８】上面板が閉じ位置にある状態のゴミ箱を示す断面図。
【図９】上面板が開放位置にある状態のゴミ箱を示す断面図。
【発明を実施するための形態】
【００２４】
本発明の一実施形態を図面に基づいて説明する。
【００２５】
図１に示すように、本実施形態のゴミ箱１は、前面板２、後面板３、左右一対の左側面板４及び右側面板５を有する筒状の本体部６と、底面板７と、本体部６の上面開口６ａに被せられる上面板８とを備え、本体部６の内部には、ゴミが入れられるゴミ袋Ｂ（図５及び図９参照）が収容される。
【００２６】
図２に示すように、本体部６は、大略矩形状に打抜いて形成された段ボール板紙１０により組み立てられる。
【００２７】
段ボール板紙１０は、図２において展開して示すように、矩形状の前面板２の左端縁（図２における右端縁）に、折目線Ｌ１を介して矩形状の左側面板４が連設され、前面板２の右端縁（図２における左端縁）に、折目線Ｌ２を介して矩形状の右側面板５が連設されている。右側面板５の後端縁（図２にける左端縁）には、折目線Ｌ３を介して後面板３が連設されている。
【００２８】
底面板７は、第１〜第４底蓋フラップ７ａ〜７ｄから構成されている。第１底蓋フラップ７ａは、折目線Ｌ４を介して前面板２の下端縁に連設され、第２底蓋フラップ７ｂは、折目線Ｌ５を介して後面板３の下端縁に連設されている。第３底蓋フラップ７ｃは、折目線Ｌ６を介して左側面板４の下端縁に連設され、第４底蓋フラップ７ｄは、折目線Ｌ７を介して右側面板５の下端縁に連設されている。
【００２９】
後面板３の右端縁（図２における左端縁）には、折目線Ｌ８を介して接着片１１が連設されている。
【００３０】
前面板２（本体部の前方側）には、上方に突出した前面突出部２ａが形成されている。前面突出部２ａには、左右方向に延びる折目線Ｌ９（第１前折目線）が形成されている。前面板２には、折目線Ｌ９の下方に、折目線Ｌ１０（第２前折目線）が形成され、折目線Ｌ１０の下方に、折目線Ｌ１１（第３前折目線）が形成されている。
【００３１】
前面板２（前面突出部２ａ）の折目線Ｌ９より上側が第１前部分２０ａ、折目線Ｌ９と折目線Ｌ１０との間の部分が第２前部分２０ｂ、折目線Ｌ１０と折目線Ｌ１０との間の部分が第３前部分２０ｃとなる（図４参照）。
【００３２】
前面板２には、前面突出部２ａの左右両側面に連続して下方向に延びて、折目線Ｌ１１の左右両端に接続される左右一対の前面切れ目線２１（第１切れ目線）が形成されている。
【００３３】
前面板２には、折目線Ｌ９と折目線Ｌ１０との間に、前面始点２２ａ（第１始点）と前面終点２２ｂ（第１終点）とが形成されて、前面始点２２ａから右方向（図２における左方向）に延びて、折目線Ｌ１０と折目線Ｌ１１との間まで下方向に延びて、左方向（図２における右方向）に延びて、前面終点２２ｂの左方（図２における右方）まで上方向に延びた後、前面終点２２ｂまで右方向（図２における左方向）に延びる前フック用切れ目線２２（第１フック部用切れ目線）が形成されている。なお、前フック用切れ目線２２の内側部分には、折目線Ｌ１０は形成されていない。また、前フック用切れ目線２２は、直線状に限らず、円弧状でもよい。
【００３４】
また、前面板２には、前フック用切れ目線２２の前面始点２２ａ及び前面終点２２ｂのそれぞれから斜め下方向に延び、前フック用切れ目線２２の上下方向に延びる線に接続される左右一対の前フック用斜め切れ目線２３が形成されている。これにより、前フック用切れ目線２２と、左右一対の前フック用斜め切れ目線２３とで囲まれた部分は、段ボールがカットされている。
【００３５】
前面突出部２ａには、位置決め突片２ｂが形成されている。前面板２には、詳しくは後述するように位置決め突片２ｂが挿入される位置決め孔２ｃが形成されている。
【００３６】
後面板３には、上方に突出し、且つ、上方に向かうにつれて幅が狭くなるテーパ状の挿入突片３ａが形成されている。後面板３には、挿入突片３ａの左右両側面に連続して下方向に延びる左右一対の後面切れ目線２５と、左右一対の後面切れ目線２５それぞれの下端を接続する左右方向に延びる折目線Ｌ１２とが形成されている。
【００３７】
挿入突片３ａは、折目線Ｌ１２に沿って折り曲げられた状態で、上面板８に形成される位置決め孔８ｆ（図８及び図９参照）に挿入される。
【００３８】
左側面板４の上後端には、上面板８を回転可能にしつつ、その回転を規制するための左規制切り欠き４ａ（規制部）が形成されている。右側面板５の上後端には、上面板８を回転可能にしつつ、その回転を規制するための右規制切り欠き５ａ（規制部）が形成されている。なお、左右規制切り欠き４ａ，５ａに代えて、回転を規制しない切り欠きを形成するようにしてもよい。
【００３９】
左側面板４は、折目線Ｌ１に沿って折り曲げられ、右側面板５は、折目線Ｌ２に沿って折り曲げられ、後面板３は、折目線Ｌ３に沿って折り曲げられ、第１〜第４底蓋フラップ７ａ〜７ｄは、折目線Ｌ４〜Ｌ７に沿って折り曲げられている。そして、接着片１１は、折目線Ｌ８に沿って折り曲げられ、この折り曲げられた接着片１１は、右側面板５の内面の後端部に接着されている。この状態では、第１〜第４底蓋フラップ７ａ〜７ｄは、それぞれ重なり合って係止され、底面板７が形成される。これにより、本体部６は、四角筒状となる（図４参照）。
【００４０】
図３に示すように、上面板８は、大略矩形状に打抜いて形成された段ボール板紙３０により形成される。なお、段ボール板紙１０と段ボール板紙３０とを１つの段ボール板紙により形成するようにしてもよい。
【００４１】
段ボール板紙３０を図３において展開して示すように、上面板８は、矩形状の上面本体８ａと、上面本体８ａの前端縁（図３における下端縁）に折目線Ｌ１６（第３上折目線）を介して連設された上面突出部８ｂと、上面本体８ａの後端縁（図３における上端縁）に折目線Ｌ１３を介して連設された開放規制片８ｃとを備える。開放規制片８ｃは、後面板３の左右方向の長さより長い。
【００４２】
上面突出部８ｂには、左右方向に延びる折目線Ｌ１４（第１上折目線）と、折目線Ｌ１４の後方（図３における上方）で左右方向に延びる折目線Ｌ１５とが形成され、折目線Ｌ１４の後方（図３における上方）に、折目線Ｌ１６が形成されている。
【００４３】
上面突出部８ｂの折目線Ｌ１４より前側が第１上部分３１ａ、折目線Ｌ１４と折目線Ｌ１５との間の部分が第２上部分３１ｂ、折目線Ｌ１５と折目線Ｌ１６との間の部分が第３上部分３１ｃとなる。
【００４４】
上面突出部８ｂには、折目線Ｌ１４の前方（図３における下方）に、上面始点３２ａ（第１始点）と上面終点３２ｂ（第２終点）とが形成されて、上面始点３２ａから右方向（図３における左方向）に延びて、折目線Ｌ１４と折目線Ｌ１５との間まで後方向（図３における上方向）に延びて、左方向（図３における右方向）に延びて、上面終点３２ｂの左方（図３における右方）まで前方向（図３における下方向）に延びた後、上面終点３２ｂまで右方向（図３における左方向）に延びる上フック用切れ目線３２（第２フック部用切れ目線）が形成されている。なお、上フック用切れ目線３２の内側部分には、折目線Ｌ１４は形成されていない。また、上フック用切れ目線３２は、直線状に限らず、円弧状でもよい。
【００４５】
また、上面突出部８ｂには、上フック用切れ目線３２の上面始点３２ａ及び上面終点３２ｂのそれぞれから斜め後方向（図３における斜め上方向）に延び、上フック用切れ目線３２の前後方向（図３における上下方向）に延びる線の後端に接続される左右一対の上フック用斜め切れ目線３３が形成されている。これにより、上フック用切れ目線３２と、左右一対の上フック用斜め切れ目線３３とで囲まれた部分は、段ボールがカットされている。
【００４６】
上面突出部８ｂには、位置決め突片８ｄが形成されている。上面本体８ａには、詳しくは後述するように位置決め突片８ｄが挿入される位置決め孔８ｅが形成されている。
【００４７】
開放規制片８ｃには、折目線Ｌ１３から後方（図３にける上方）に延び、左右方向に延びた後、折目線Ｌ１３まで前方（図３にける下方）に延びる位置決め孔用切れ目線３５が形成されている。
【００４８】
位置決め孔用切れ目線３５が形成された部分には、折目線Ｌ１３は形成されていない。したがって、開放規制片８ｃを、折目線Ｌ１３に沿って折り曲げると、位置決め孔用切れ目線３５が形成された部分は折り曲げられず、これにより、位置決め孔８ｆ（図８及び図９参照）が形成される。
【００４９】
次に、本体部６及び上面板８の形成工程について説明する。
【００５０】
図４に示すように、左側面板４、右側面板５、後面板３及び第１〜第４底蓋フラップ７ａ〜７ｄが、折目線Ｌ１〜Ｌ７に沿って折り曲げられ、本体部６は、四角筒状に形成されて、さらに、後面板３の挿入突片３ａは、折目線Ｌ１２に沿って折り曲げられている。
【００５１】
折目線Ｌ９より上側の第１前部分２０ａが、折目線Ｌ９に沿って内側に折り曲げられ、折目線Ｌ９と折目線Ｌ１０との間の第２前部分２０ｂが、折目線Ｌ１０に沿って内側に折り曲げられ、折目線Ｌ１０と折目線Ｌ１１との間の第３前部分２０ｃが、折目線Ｌ１１に沿って内側に折り曲げられている。
【００５２】
これにより、図５に示すように、位置決め突片２ｂが位置決め孔２ｃに挿入されて、前面板２の第１〜第３前部分２０ａ〜２０ｃが折り曲げられた状態で位置決めされ、さらに、前面板２の前フック用切れ目線２２及び前フック用斜め切れ目線２３により、板状で左右両側面に上方に向けて外側に傾斜した部分を有する前フック部２ｄが形成されている。
【００５３】
ゴミ袋Ｂは、袋状に形成されたゴミ袋本体Ｂ１の側面上端部の対向する位置に、袋孔Ｂ１ａ，Ｂ１ｂが形成されている。ゴミ袋Ｂは、ゴミ袋本体Ｂ１が、本体部６の中に収容され、袋孔Ｂ１ａは、前面板２の前フック部２ｄが挿入されて前フック部２ｄに引っ掛けられ、袋孔Ｂ１ｂは、上面板８の上フック部８ｇ（図８参照）が挿入されて上フック部８ｇに引っ掛けられている。なお、図５、図８及び図９では、ゴミ袋Ｂの厚みを誇張して描いている。
【００５４】
図６及び図７に示すように、上面突出部８ｂの折目線Ｌ１４より前側の第１上部分３１ａが、折目線Ｌ１４に沿って内側に折り曲げられ、折目線Ｌ１４と折目線Ｌ１５との間の第２上部分３１ｂが、折目線Ｌ１５に沿って内側に折り曲げられ、折目線Ｌ１５と折目線Ｌ１６との間の第３上部分３１ｃが、折目線Ｌ１６に沿って内側に折り曲げられている。
【００５５】
これにより、位置決め突片８ｄが位置決め孔８ｅに挿入されて、上面突出部８ｂの第１〜第３上部分３１ａ〜３１ｃが折り曲げられた状態で位置決めされ、さらに、上面板８の上フック用切れ目線３２及び上フック用斜め切れ目線３３により、板状で左右両側面に下方に向けて外側に傾斜した部分を有する上フック部８ｇが形成されている。
【００５６】
図８に示すように、後面板３の挿入突片３ａが上面板８の位置決め孔８ｆに挿入されると、上面板８は、挿入突片３ａの部分を回転中心として開閉（回転）可能となり、上面開口６ａを閉塞（図８参照）または上面開口６ａを開放させる（図９参照）。本実施形態では、上面板８を移動させる移動機構は、後面板３の挿入突片３ａと、上面板８の位置決め孔８ｆとを備える。
【００５７】
本実施形態では、上面板８が開放されて、上面板８の前端部が後方向に移動された場合（図８参照）には、上面板８の上フック部８ｇは、前面板２の前フック部２ｄより後方に位置する。そして、上面板８が閉じられて、上面板８の前端部が後方向に移動された位置（図８参照）から前方向に移動された場合（図９参照）には、上面板８の上フック部８ｇは、前後方向において前面板２の前フック部２ｄに近づく。
【００５８】
上面板８が、閉じ位置（図８参照）から開放位置（図９参照）まで開放（回転）された場合、開放規制片８ｃが、左側面板４の左規制切り欠き４ａを形成する側面、及び右側面板５の右規制切り欠き５ａを形成する側面に当接して開放が規制され、図９に示す開放位置が最大に開放された位置となる。これにより、上面板８が開放し過ぎるのを防止することができる。これにより、上面板８が開放し過ぎて、ゴミ袋Ｂに入れられたゴミが外部に飛び出ることを防止することができる。
【００５９】
図９に示す状態で、ゴミ箱１の使用者（以下、単に使用者という）は、ゴミ袋Ｂのゴミ袋本体Ｂ１を、本体部６の中に収容した後、袋孔Ｂ１ａに、前面板２の前フック部２ｄを挿入して前フック部２ｄに引っ掛け、袋孔Ｂ１ｂに、上面板８の上フック部８ｇを挿入して上フック部８ｇに引っ掛ける。なお、ゴミ袋としては、孔（２箇所が望ましい）が形成されているものが好ましく、例えば、コンビニエンスストアやスーパーマーケット等で購入した物品が入れられる一般的なビニール袋を、ゴミ袋として使用することができる。すなわち、本実施形態のゴミ箱１では、専用のゴミ袋を用意する必要がない。さらに、孔が形成されていない袋でも、袋の前側の上端縁部を、前フック部２ｄと第２前部分２０ｂとの隙間に挟み込ませ、袋の後側の上端縁部を、上フック部８ｇと第１上部分３１ａとの隙間に挟み込ませるようにして保持させることで、孔が形成されていない袋をゴミ袋として使用することができる。
【００６０】
使用者は、上面板８を開放位置（図９参照）まで開放した状態で、ゴミをゴミ袋Ｂの中に入れる。上面板８が開放位置にある場合、ゴミ袋本体Ｂ１の上面が開口されているので、ゴミ袋Ｂの中にゴミを入れることができる。
【００６１】
そして、使用者は、ゴミをゴミ袋Ｂの中に入れた後、上面板８を回転させて閉じる（図８参照）。上面板８が閉じられると、上フック部８ｇが、前後方向において前フック部２ｄに近づくことで、上フック部８ｇにより保持されたゴミ袋Ｂの前端部が、前後方向において前フック部２ｄにより保持されたゴミ袋Ｂの後端部に近づき、ゴミ袋本体Ｂ１の上面開口が閉じられる。
【００６２】
これにより、上面板８が閉じられた場合にも、ゴミ袋Ｂの上面開口が閉じられない従来のものに比べて、ゴミ袋Ｂに入れられたゴミの臭いが外部に漏れることを低減することができる。特に、使用済みおむつ等の臭いが強く、且つ、毎日発生するものをゴミとして捨てる場合に、臭いの漏れを低減することに効果的である。
【００６３】
また、図８に示すように、上面板８が閉じ位置にある場合、前面板２の前フック部２ｄと、上面板８の上フック部８ｇとが、前後方向において重なり、その重なった部分では、ゴミ袋Ｂの上面開口が遮蔽されるので、より一層、ゴミ袋Ｂに入れられたゴミの臭いが外部に漏れることを低減することができる。
【００６４】
さらに、本実施形態では、ゴミ箱１は、段ボール板紙製であるので、ゴミ箱１に入れられたゴミを廃棄する場合、ゴミ袋Ｂをゴミ箱１から取り出すことなく、ゴミ袋Ｂを収容した状態のゴミ箱１自体を廃棄することができる。これにより、上面板８を開放して、ゴミ袋Ｂをゴミ箱１から取り出す必要が無く、上面板８を開放する場合の臭いの外部への漏れを防止することができる。
【００６５】
なお、上記実施形態では、ゴミ箱１を段ボール板紙１０，３０により構成しているが、樹脂や金属等により構成してもよい。
【００６６】
上記実施形態では、本体部６を四角筒状に形成しているが、円筒状や三角筒状でもよく、さらに、底面板７を設けないようにしてもよい。
【００６７】
上記実施形態では、上面板８を、前面板２、後面板３、及び左右側面板４，５を有する本体部６とは別に設けているが、上面板８を本体部６に一体に形成してもよい。この場合、上面板８は、後面板３の上端縁に上折目線を介して連設され、挿入突片３ａ及び位置決め孔用切れ目線３５は形成されない。
【００６８】
上記実施形態では、前フック部２ｄ及び上フック部８ｇにより、ゴミ袋Ｂの前端部及び後端部を保持しているが、ゴミ袋Ｂの保持方式は適宜変更可能であり、例えば、磁石による保持や、ピンの差し込みによる保持でもよい。このような磁石やピンによる保持の場合、孔が形成されていない袋もゴミ袋として使用することができる。
【００６９】
上記実施形態では、上面板８を閉じ位置まで回転した場合に、ゴミ袋Ｂの後端部が前端部を覆うようにしているが、上面板８を閉じ位置まで回転した場合に、ゴミ袋Ｂの上面開口が少しでも閉じられるようにすればよい。
【００７０】
上記実施形態では、上面板８を回転させることで、上面板８の少なくとも前端部を前後方向に移動させて、本体部６の上面開口６ａを閉塞または開放させているが、上面板８の移動方法は適宜変更可能であり、例えば、上面板８を前後方向にスライド可能に設け、スライドにより、本体部６の上面開口６ａを閉塞または開放させるようにしてもよい。この場合にも、閉じ位置までスライドした場合に、ゴミ袋Ｂの上面開口が少しでも閉じられるようにすればよい。
【００７１】
上記実施形態では、上面板８が閉じ位置にある場合、前面板２の前フック部２ｄと、上面板８の上フック部８ｇとを、前後方向に重なるようにしているが、重ならないようにしてもよい。
【符号の説明】
【００７２】
１…ゴミ箱、２…前面板（本体部の前方側）、２ｄ…前フック部（第１フック部）、３…後面板、４…左側面板、４ａ…左規制切り欠き（規制部）、５…右側面板、５ａ…右規制切り欠き（規制部）、６…本体部、６ａ…上面開口、７…底面板、７ａ〜７ｄ…第１〜第４底蓋フラップ、８…上面板、８ｇ…上フック部（第２フック部）、２０ａ〜２０ｃ…第１〜第３前部分、２１…前面切れ目線（第１切れ目線）、２２…前フック用切れ目線（第１フック部用切れ目線）、２２ａ…前面始点（第１始点）、２２ｂ…前面終点（第１終点）、３１ａ〜３１ｃ…第１〜第３上部分、３２…上フック用切れ目線（第２フック部用切れ目線）、３２ａ…上面始点（第２始点）、３２ｂ…上面終点（第２終点）、Ｌ１〜Ｌ１７…折目線、Ｂ…ゴミ袋
【図１】
2020019586.tif 000003
【図２】
2020019586.tif 000004
【図３】
2020019586.tif 000005
【図４】
2020019586.tif 000006
【図５】
2020019586.tif 000007
【図６】
2020019586.tif 000008
【図７】
2020019586.tif 000009
【図８】
2020019586.tif 000010
【図９】
2020019586.tif 000011